(57)【要約】【課題】  ファクシミリ装置の設定情報の内容に不整合が発生するおそれがある状況では情報処理装置からの設定情報の変更を行わせないファクシミリシステムを提供すること。【解決手段】  装置動作に関連した設定情報を予め記憶し、その設定情報を必要に応じて参照して動作するファクシミリ装置と、情報処理装置とがインターフェースを介して接続され、前記情報処理装置から前記ファクシミリ装置が記憶する設定情報を前記インターフェースを介して書換変更可能なファクシミリシステムにおいて、前記ファクシミリ装置が操作中には、前記情報処理装置からの前記設定情報の書換変更を禁止することを特徴とする。【選択図】      図１
2005223934.tif 000002
【特許請求の範囲】
【請求項１】
装置動作に関連した設定情報を予め記憶し、その設定情報を必要に応じて参照して動作するファクシミリ装置と、情報処理装置とがインターフェースを介して接続され、前記情報処理装置から前記ファクシミリ装置が記憶する設定情報を前記インターフェースを介して書換変更可能なファクシミリシステムにおいて、前記ファクシミリ装置が操作中には、前記情報処理装置からの前記設定情報の書換変更を禁止するリモート変更禁止手段を備えたことを特徴とするファクシミリシステム。
【請求項２】
前記リモート変更禁止手段は、前記ファクシミリ装置が操作中のときに加え、スキャナを使用する機能が動作中のときにも、前記情報処理装置からの前記設定情報の書換変更を禁止するものであることを特徴とする請求項１に記載のファクシミリシステム。
【請求項３】
前記リモート変更禁止手段は、前記ファクシミリ装置が操作中のときに加え、プロッタを使用する機能が動作中のときにも、前記情報処理装置からの前記設定情報の書換変更を禁止するものであることを特徴とする請求項１に記載のファクシミリシステム。
【請求項４】
前記リモート変更禁止手段は、前記ファクシミリ装置が操作中のときに加え、回線を介して通信する機能が動作中のときにも、前記情報処理装置からの前記設定情報の書換変更を禁止するものであることを特徴とする請求項１に記載のファクシミリシステム。
【請求項５】
前記ファクシミリ装置が省電力待機中でも前記情報処理装置からの前記設定情報の書換変更を可能とする手段を備えたことを特徴とする請求項１、２、３または４のいずれかに記載のファクシミリシステム。
【発明の詳細な説明】
【技術分野】
【０００１】
本発明は、ファクシミリ装置とパーソナルコンピュータ等の情報処理装置とがインターフェースを介して接続されて構成されるファクシミリシステムに関する。
【背景技術】
【０００２】
ファクシミリ装置は、その動作に必要な各種設定情報を予め記憶していて、それら設定情報を必要に応じて参照して動作する。具体的には、いわゆるワンタッチダイヤルや短縮ダイヤル等の機能のために、ワンタッチキーの番号と電話番号とを対応付けて記憶したワンタッチダイヤル登録テーブルや、短縮番号と電話番号とを対応付けて記憶した短縮ダイヤル登録テーブルを予め記憶して、ワンタッチキーが押下されると、ワンタッチダイヤル登録テーブルを参照して、押下されたワンタッチキーの番号に対応する電話番号を特定し、その特定した電話番号に自動的に発呼したり、短縮番号が指定されると、短縮ダイヤル登録テーブルを参照して、指定された短縮番号に対応する電話番号を特定し、その特定した電話番号に自動的に発呼したりする。
【０００３】
また、設定情報としては、通信時に相手先に通知する自局番号や、スキャナの読取線密度の既定値、通常の動作状態において所定時間操作入力がないと、表示部の照明を消灯したりして節電状態に移行する節電機能のためのタイマ設定値等も挙げることができる。
【０００４】
そのようなファクシミリ装置の設定情報の変更は、従来はファクシミリ装置が備える操作部や、表示器を用いて行うが、通常の使用状態では、ファクシミリ装置は、宛先電話番号をマニュアル入力したり短縮番号を入力するテンキーや、送信開始を指示する［スタート］キーや、ワンタッチダイヤルのための数個のワンタッチキーや、短縮ダイヤルを指示するための［短縮］キーや、オフフックキー等の限られたキーしか必要とせず、また、表示器にも、装置の動作状態を表示したり、簡単なメッセージを表示できれば十分である。
【０００５】
しかし、ワンタッチダイヤル登録テーブルの登録内容の変更等においては、多数の相手先について、電話番号や、相手先名称を入力する必要があり、そのような変更作業をファクシミリ装置本体で行おうとすると、操作説明書を参照しないとわからないような、テンキーやワンタッチキーのアルファベットキーへの読み替等が必要となり、また、表示器に表示できる情報量も限定され、操作性がよくなく、入力間違いも発生しやすい。
【０００６】
そこで、従来、特許文献１に見られる技術のように、パソコン等の情報処理装置とファクシミリ装置とを接続し、ファクシミリ装置側に予め設定された設定項目とその設定値をパソコン側に転送して表示させ、その設定値を変更してファクシミリ装置に伝送すると、ファクシミリ装置でそのデータを一旦受信バッファメモリに格納して受信し、ＥＥＰＲＯＭ内にデータを順次記憶させることで、ファクシミリ装置側の設定情報を、ファクシミリ装置側の操作部に比較してずっと操作が容易なパソコン側のキーボード等を用い、また、ファクシミリ装置側の表示器に比較してずっと表示情報量の多いディスプレイを用いて行えるようにしたものがあった。
【特許文献１】特開平８−２６５４６８号公報
【発明の開示】
【発明が解決しようとする課題】
【０００７】
しかし、ファクシミリ装置側において、あるユーザにより操作部が操作されているとき、スキャナが使用中のとき、プロッタが使用中のとき、通信中のとき等に、他のユーザによる操作により情報処理装置で変更された設定情報がファクシミリ装置に伝送されると、同時に１つのデータを書き換えてしまったり、送信しようとした宛先データを書き換えてしまう等、設定情報の不整合が発生するおそれがあるという問題点があった。
【０００８】
本発明はかかる事情に鑑みてなされたものであり、ファクシミリ装置の設定情報の内容に不整合が発生するおそれがある状況では情報処理装置からの設定情報の変更を行わせないファクシミリシステムを提供することを目的とする。
【課題を解決するための手段】
【０００９】
上記目的を達成するため、請求項１に記載のファクシミリシステムは、装置動作に関連した設定情報を予め記憶し、その設定情報を必要に応じて参照して動作するファクシミリ装置と、情報処理装置とがインターフェースを介して接続され、前記情報処理装置から前記ファクシミリ装置が記憶する設定情報を前記インターフェースを介して書換変更可能なファクシミリシステムにおいて、前記ファクシミリ装置が操作中には、前記情報処理装置からの前記設定情報の書換変更を禁止するリモート変更禁止手段を備えたことを特徴とする。
【００１０】
請求項２に記載のファクシミリシステムは、請求項１に記載のファクシミリ装置において、前記リモート変更禁止手段は、前記ファクシミリ装置が操作中のときに加え、スキャナを使用する機能が動作中のときにも、前記情報処理装置からの前記設定情報の書換変更を禁止するものであることを特徴とする。
【００１１】
請求項３に記載のファクシミリシステムは、請求項１に記載のファクシミリ装置において、前記リモート変更禁止手段は、前記ファクシミリ装置が操作中のときに加え、プロッタを使用する機能が動作中のときにも、前記情報処理装置からの前記設定情報の書換変更を禁止するものであることを特徴とする。
【００１２】
請求項４に記載のファクシミリシステムは、請求項１に記載のファクシミリ装置において、前記リモート変更禁止手段は、前記ファクシミリ装置が操作中のときに加え、回線を介して通信する機能が動作中のときにも、前記情報処理装置からの前記設定情報の書換変更を禁止するものであることを特徴とする。
【００１３】
請求項５に記載のファクシミリシステムは、請求項１、２、３または４のいずれかに記載のファクシミリ装置において、前記ファクシミリ装置が省電力待機中でも前記情報処理装置からの前記設定情報の書換変更を可能とする手段を備えたことを特徴とする。
【発明の効果】
【００１４】
請求項１に係る発明によれば、前記ファクシミリ装置が操作中には、前記情報処理装置からの前記設定情報の書換変更が禁止されるため、ファクシミリ装置側の操作により書換変更中の設定情報が、同時に前記情報処理装置から書き換えられてしまったり、ファクシミリ装置側の操作により指定した送信宛先が、前記情報処理装置からの書き換えられてしまったりというような事態の発生を防止でき、前記設定情報の内容の不整合を防止することが可能となる効果が得られる。
【００１５】
請求項２に係る発明によれば、スキャナを使用する機能が動作中にも、前記情報処理装置からの前記設定情報の書換変更が禁止されるため、スキャナを使用している機能が動作しているときに、その動作に必要な設定情報が動作途中で書き換えられてしまってスキャナの動作に支障がでるような事態の発生を防止して安定な動作を行うことが可能となる効果が得られる。
【００１６】
請求項３に係る発明によれば、プロッタを使用する機能が動作中にも、前記情報処理装置からの前記設定情報の書換変更が禁止されるため、プロッタを使用している機能が動作しているときに、その動作に必要な設定情報が動作途中で書き換えられてしまってプロッタの動作に支障がでるような事態の発生を防止して安定な動作を行うことが可能となる効果が得られる。
【００１７】
請求項４に係る発明によれば、回線を介した通信する機能が動作中にも、前記情報処理装置からの前記設定情報の書換変更が禁止されるため、回線を介して通信する機能が動作しているときに、その動作に必要な設定情報が動作途中で書き換えられてしまって回線を介した通信に支障がでるような事態の発生を防止して安定な動作を行うことが可能となる効果が得られる。
【００１８】
請求項５に係る発明によれば、前記ファクシミリ装置が省電力待機中でも前記情報処理装置からの前記設定情報の書換変更を行えるようにしたため、ファクシミリ装置の省電力待機モードを手動で解除するなどの不要な手間が省け、使い勝手が向上するという効果が得られる。
【発明を実施するための最良の形態】
【００１９】
以下、添付図面を参照しながら、本発明を実施するための最良の形態について説明する。
【００２０】
図１は、本発明を実施するための最良の形態に係るファクシミリシステムを構成するファクシミリ装置１及びパーソナルコンピュータ（パソコン）２０のブロック構成を示している。
【００２１】
同図において、ファクシミリ装置１は、スキャナ２、プロッタ３、操作表示部４、符号化復号化部５、システム制御部６、ＲＯＭ７、ＲＡＭ８、画像メモリ９、モデム部１０、網制御部１１、セントロニクスＩ／Ｆ１２、及び、システムバス１３とから構成されている。
【００２２】
スキャナ２は、セットされた原稿を読み取って画情報を得るもので、Ａ４、Ｂ４及びＡ３の各定型主走査幅で原稿を読みとる機能を備え、それらの定型主走査幅のうちの操作表示部４から設定された定型主走査幅で原稿を読み取る。また、スキャナ２は、３．８５本／ｍｍまたは７．７本／ｍｍの副走査解像度で原稿を読みとる機能を備え、それらの副走査解像度のうちの、既定の副走査解像度、または、操作表示部４から設定された副走査解像度で原稿を読み取る。プロッタ３は、回線を介して受信した画情報を、その線密度に応じて記録出力したり、スキャナ２で読み取った画情報を、その線密度に応じて記録出力（コピー動作）するためのものである。
【００２３】
操作表示部４は、図示していないが、オペレータによる操作入力を受け入れるためのテンキーや、ワンタッチダイヤルのためのワンタッチキー群、短縮ダイヤルのための［短縮］キー等の各種キーが配設されると共に、装置の動作状態や、オペレータへのメッセージを表示する表示器を備えるものである。
【００２４】
符号化復号化部５は、送信画情報を、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００２５】
システム制御部６は、ＲＯＭ７に書き込まれた制御プログラムに従って、ＲＡＭ８を作業領域として使用しながら、装置各部を制御するマイクロコンピュータである。
【００２６】
ＲＯＭ７は、前述したように、システム制御部６が装置各部を制御するための制御プログラムが記憶されているリードオンリメモリである。
【００２７】
ＲＡＭ８は、前述したようにシステム制御部６の作業領域として使用されると共に、装置の動作に必要な設定データを記憶するランダムアクセスメモリである。なお、ＲＡＭ８は、図示しないバックアップ回路によりバックアップされ、装置電源遮断時にもその記憶内容は保持される。
【００２８】
図２に、ＲＡＭ８の記憶内容について示す。同図において、ＲＡＭ８には、装置動作に必要な設定データ８ａが予め記憶されている。設定データ８ａは、ワンタッチキーの番号と相手先名称や相手先番号とを対応付けて登録したワンタッチダイヤル登録テーブル８ａａ、短縮番号と相手先名称や相手先番号とを対応付けて登録した短縮ダイヤル登録テーブル８ａｂ、待機状態において、一定時間操作表示部４からの操作入力がない場合に、操作表示部４の表示器の照明を消灯すると共に、スキャナ２やプロッタ３への電力供給を停止する省電力待機モードに移行するためのタイマ設定値である節電タイマ設定値８ａｃや、回線を介した通信時に被呼端末識別信号ＣＳＩ、送信端末識別信号ＴＳＩ等として相手先に通知するための自局番号８ａｄ等の各情報により構成されている。その他にも、スキャナ２の動作に関連した読取線密度の既定値や、プロッタ３の動作に関連した記録濃度の既定値などの各種情報が設定データ８ａには含まれる。
【００２９】
図１に戻って、画像メモリ９は、送信画情報または受信画情報を一時的にファイルとして蓄積すめたのものである。モデム部１０は、Ｇ３ファクシミリモデムであり、網制御部１１を介して回線に送信するデータを変調する一方、網制御部１１を介して回線から受信した信号を復調するものである。また、モデム部１０は、相手先番号に対応したＤＴＭＦ信号の送出も行う。
【００３０】
網制御部１１は、回線に接続されて、回線の直流ループの閉結・解放や、回線の極性反転の検出、回線解放の検出、発信音の検出、ビジートーン等のトーン信号の検出、呼出信号の検出等の回線との接続制御や、ダイヤルパルスの生成を行うものである。セントロニクスインターフェース１２は、後述するパソコン２０のセントロニクスインターフェース２４と対になるインターフェースであり、ファクシミリ装置１とパソコン２０とが相互にデータをやりとりするためのインターフェースとなるものである。システムバス１３は、上記各部がデータをやり取りするための信号ラインである。
【００３１】
一方、情報処理装置としてのパソコン２０は、キーボード制御部２１、ＭＰＵ２２、ＲＳ−２３２ＣＩ／Ｆ２３、セントロニクスＩ／Ｆ２４、ディスプレイ制御部２５、ＲＯＭ２６、ＲＡＭ２７、ハードディスク装置２８、及びシステムバス２９とから構成され、また、周辺装置として、マウス装置３０、キーボード４０、及び、ディスプレイモニタ５０を備えている。
【００３２】
キーボード制御部２１は、キーボード４０から入力されたキー操作を解読してＭＰＵ２２に通知するための制御を行うものである。ＭＰＵ２２は、装置各部を制御するマイクロプロセッサユニットである。ＲＳ−２３２ＣインターフェースＦ２３は、接続されたマウス装置３０から移動に応じて出力される移動方向や移動量の情報や、ボタンが押下されたか否かについての情報を受信してＭＰＵ２２に通知するためのものである。
【００３３】
セントロニクスインターフェース２４は、ファクシミリ装置１のセントロニクスインターフェース１２と対になるインターフェースであり、ファクシミリ装置１とパソコン２０とが相互にデータをやりとりするためのインターフェースとなるものである。ディスプレイ制御部２５は、ＭＰＵ２２からの指示に応じてディスプレイモニタ５０への画像信号を生成するものである。ディスプレイモニタ５０は、そのディスプレイ制御部２５からの画像信号を可視表示するものである。
【００３４】
ＲＯＭ２６は、ＭＰＵ２２の制御手順を記したプログラムが格納されるリードオンリメモリである。ＲＡＭ２７は、ＭＰＵ２２の作業領域となるランダムアクセスメモリである。ハードディスク装置２８は、ＭＰＵ２２の制御手順が記されたプログラムや、画情報ファイル等の各種データが蓄積されるものである。システムバス２９は、上記各部がデータをやり取りするための信号ラインである。
【００３５】
次に、以上の構成のファクシミリシステムにおける設定データ変更処理手順について、図３及び図４を参照して説明する。
【００３６】
それらの図に示す処理手順は、ファクシミリ装置１（ファックス）側の処理手順とパソコン２０（ＰＣ）側の処理手順とから構成されている。ファックス側の処理手順は、ＲＯＭ７に書き込まれたプログラムをシステム制御部６が読み出して実行することにより行われ、ＰＣ側の処理手順は、ハードディスク装置２８に格納された設定データ変更用のアプリケーションが起動され、ＲＡＭ２７に展開されて、ＭＰＵ２２がその展開されたプログラムを読み出して実行することにより行われる。
【００３７】
それらの図において、ＰＣ側では、キーボード４０により所定のキーの押下や、ディスプレイモニタ５０に表示された所定のボタンのマウス装置３０によるクリック操作等に応じて、設定データ転送要求をセントロニクスインターフェース２４を介してファックス側に対して行い（処理２０１）、設定データが転送されるかを監視する（判断２０２のＮｏループ）。
【００３８】
一方、ファックス側では、セントロニクスインターフェース１２を介して設定データ転送要求がＰＣ側からあるかを監視していて（判断１０１のＮｏループ）、ファックス側の処理２０１に対応して判断１０１がＹｅｓとなると、設定データ８ａをＲＡＭ８から読み出して、セントロニクスインターフェース１２を介してＰＣ側に転送し（処理１０２）、変更後の設定データがＰＣ側から転送されるかを監視する（判断１０３のＮｏループ）。
【００３９】
一方ＰＣ側では、ファックス側の処理１０２に対応して判断２０２がＹｅｓとなり、ファックス側から転送されＲＡＭ２７に記憶した設定データを、ディスプレイモニタ５０に画面表示し（処理２０３）、ユーザによるキーボード４０やマウス操作３０の操作に応じて表示した設定データを変更する設定データ編集処理を行いつつ、変更後の設定データのファックス側への転送を指示する所定の転送指示操作があるかを監視する（処理２０３、処理２０４、判断２０５のＮｏループ）。
【００４０】
そして、転送指示操作があると（判断２０５のＹｅｓ）、処理２０４で編集された変更後の設定データをセントロニクスインターフェース２４を介してファックス側に転送し（処理２０６）、「書換不可」の通知がセントロニクスインターフェース２４を介してファックス側からあるかを判断する（判断２０７）。
【００４１】
一方ファックス側では、ＰＣ側の処理２０６に対応して判断１０３がＹｅｓとなり、ＰＣ側から転送された設定データをすぐさま設定データ８ａとして記憶するのではなく、一時的にＲＡＭ８に記憶する（処理１０４）。
【００４２】
そして、現在、操作表示部４が操作中であるか、スキャナ２が原稿画情報の読取などのために使用中であるか、プロッタ３が受信画情報の記録など使用中であるか、回線が、送信または受信の通信のために使用中であるかを判断する（判断１０５、判断１０６、判断１０７、判断１０８）。
【００４３】
操作中、スキャナ使用中、プロッタ使用中、または、回線使用中である場合は（判断１０５のＹｅｓ、判断１０６のＹｅｓ、判断１０７のＹｅｓ、または、判断１０８のＹｅｓ）、セントロニクスインターフェース１２を介してＰＣ側に「書換不可」の旨を通知し（処理１０９）、判断１０３に戻る。
【００４４】
操作中でもなくも、スキャナ使用中でもなく、プロッタ使用中でもなく、または、回線使用中でもない場合は（判断１０５のＮｏ、判断１０６のＮｏ、判断１０７のＮｏ、判断１０８のＮｏ）、ＲＡＭ８に記憶した設定データ８ａを、処理１０４において一時記憶した設定データに書き換える（処理１１０）。
【００４５】
一方ＰＣ側では、判断２０７において、「書換不可」の旨の通知がない場合は（判断２０７のＮｏ）、そのまま処理を終了するが、ファックス側の処理１０９に対応して「書換不可」の旨の通知があった場合は（判断２０７のＹｅｓ）、「書換不可」の旨のメッセージをディスプレイモニタ５０に表示し（処理２０８）、処理２０３に戻る。
【００４６】
処理２０３に戻り、判断２０５のＮｏループ中に、転送指示操作がなされる判断２０６以降の処理が繰り返り行われ、ファックス側が、設定データの変更をすると弊害がある、操作中、スキャナ使用中、プロッタ使用中、または、回線使用中でない場合に限り、ファックス側の設定データ８ａのＰＣ側からの書換変更が可能となる。
【００４７】
これにより、操作中、スキャナ使用中、プロッタ使用中、または、回線使用中に、設定データ８ａが書き換えられてしまうことがなく、操作表示部４からの書き換え中に、設定データ８ａがＰＣ側からも書き換えられて、内容に不整合が生じたり、スキャナ使用中に、スキャナの動作に必要な設定データが書き換えられてしまって、読取動作が不安定になったり、プロッタ使用中に、プロッタの動作に必要な設定データが書き換えられてしまって、記録動作が不安定になったり、回線使用中に、送受信動作に必要な設定データが書き換えられてしまった通信動作が不安定になってしまったりする事態の発生を未然に防止できる。
【００４８】
なお、ファクシミリ装置１は、通常動作時に節電タイマ設定値８ａｃを読み出してカウントダウンするタイマ動作を行い、操作表示部４からの操作入力がないままタイムアウトすると操作表示部４の表示器用の照明を消灯し、スキャナ及びプロッタ３への電力供給を停止する省電力待機状態に移行するが、その省電力待機状態でも、ファクシミリ装置１は、図３及び図４に示した設定データ変更処理手順を行い、ＰＣ側からの設定データ転送要求があると（処理２０１）、その要求に応答して（判断１０１のＹｅｓ）、以降の設定データ変更処理を行う。
【００４９】
それにより、省電力待機状態でも、ＰＣ側からファクシミリ装置１の設定データ８ａを書換変更することができ、設定データのＰＣ側からの変更のために、わざわざファクシミリ装置１のところまでいって、省電力待機状態から復帰させる操作をおこなわないで済む。なお、省電力待機状態の態様としては、表示器の照明消灯とスキャナ及びプロッタ３への電力供給の停止によるものに限らず、最低限、システム制御部６が、セントロニクスインターフェース１２を介してＰＣ側からの設定データ転送要求を検出できさえすれば、節電の程度はいかようであってもよい。
【００５０】
なお、以上説明した本発明を実施するための最良の形態においては、ファクシミリ装置１とパソコン２０とが、セントロニクスインターフェース１２、２４により接続される場合を例に説明したが、それに限らず、ＲＳ−２３２Ｃインターフェース、ＳＣＳＩインターフェース、ＬＡＮ等のその他のインターフェースであってもよく、ファクシミリ装置１とパソコン２０とを相互接続するインターフェースの形態により本発明は限定されるものではない。
【００５１】
また、以上説明した本発明を実施するための最良の形態においては、本発明をファクシミリ装置に適用したが、本発明はそれに限らず、パソコン等の情報処理装置にインターフェースを介して接続されたスキャナ装置、プリンタ装置、複写機、通信端末装置等のその他の装置に対しても応用可能なものである。
【図面の簡単な説明】
【００５２】
【図１】本発明の実施の形態に係るファクシミリシステムを構成するファクシミリ装置及びパーソナルコンピュータのブロック構成について示す図である。
【図２】本発明の実施の形態に係るファクシミリ装置のＲＡＭの記憶内容について示す図である。
【図３】本発明の実施の形態に係るファクシミリシステムにおける設定データ変更処理手順について示すフローチャートである。
【図４】図３と共に、本発明の実施の形態に係るファクシミリシステムにおける設定データ変更処理手順について示すフローチャートである。
【符号の説明】
【００５３】
１  ファクシミリ装置
２  スキャナ
３  プロッタ
４  操作表示部
５  符号化復号化部
６  システム制御部
７  ＲＯＭ
８  ＲＡＭ
９  画像メモリ
１０  モデム部
１１  網制御部
１２  セントロニクスインターフェース
１３  システムバス
２０  パソコン
２１  キーボード制御部
２２  ＭＰＵ
２３  ＲＳ−２３２Ｃインターフェース
２４  セントロニクスインターフェース
２５  ディスプレイ制御部
２６  ＲＯＭ
２７  ＲＡＭ
２８  ハードディスク装置
２９  システムバス
３０  マウス装置
４０  キーボード
５０  ディスプレイモニタ
【図１】
2005223934.tif 000003
【図２】
2005223934.tif 000004
【図３】
2005223934.tif 000005
【図４】
2005223934.tif 000006